【手続補正書】
【提出日】平成29年1月4日(2017.1.4)
【手続補正１】
【補正対象書類名】特許請求の範囲
【補正対象項目名】全文
【補正方法】変更
【補正の内容】
【特許請求の範囲】
【請求項１】
ガスタービンシステムであって、
排気ガスから生成される排気ガス希釈剤の存在下で圧縮酸化剤及び燃料を燃焼させて燃焼生成物を生成するように構成されたタービン燃焼器と、
前記タービン燃焼器に流体的に結合され、前記圧縮酸化剤を酸化剤流量で主酸化剤圧縮システムから前記タービン燃焼器に流すよう構成された酸化剤供給経路と、
前記燃焼生成物から仕事を抽出して前記排気ガスを発生させるように構成され、該仕事が該燃焼生成物から抽出されるときに前記ガスタービンシステムのシャフトを回転させるタービンと、
コントローラを備え、
該コントローラが、
１又は２以上の命令セットを全体として格納する１又は２以上の有形の非一時的機械可読媒体とプロセッシングデバイスとを有し、
該プロセッシングデバイスが、前記ガスタービンシステムに関する目標負荷を示すデータを受け、前記目標負荷に応答し、一次負荷制御パラメータとしての前記酸化剤流路に沿った前記酸化剤流量を調節することによって負荷制御を行うように１又は２以上の命令セットを実行するように構成され、前記酸化剤流量の調節が、前記タービン燃焼器内の燃焼を調節して前記シャフトの回転速度を変える、
ことを特徴とするガスタービンシステム。
【請求項２】
前記酸化剤供給経路に沿って前記圧縮酸化剤を生成するように構成された前記主酸化剤圧縮システムの主酸化剤圧縮機を備え、
前記主酸化剤圧縮機が、前記圧縮酸化剤を生成する圧縮のために受け取られる酸化剤の量を調節するように構成された主酸化剤圧縮機入口ガイドベーンを備え、
前記１又は２以上のプロセッシングデバイスは、前記１又は２以上の命令セットを実行して前記入口ガイドベーンの位置を調節して前記酸化剤流量を調節するように構成されている、
請求項１に記載のガスタービンシステム。
【請求項３】
前記タービン燃焼器に流体的に連結され、燃料流量で前記燃料を該タービン燃焼器に流すよう構成された燃料供給経路を備え、
前記１又は２以上のプロセッシングデバイスは、前記酸化剤流量が調節される前記負荷制御に応答して、前記１又は２以上の命令セットを実行し、前記燃料流量を調節するように構成されている、
請求項１に記載のガスタービンシステム。
【請求項４】
前記１又は２以上のプロセッシングデバイスは、前記１又は２以上の命令セットを実行し、前記負荷制御を実施した後に当量比制御を実施するように構成され、該当量比制御は、前記酸化剤流量の前記調節に応答して前記燃料流量を調節し、前記タービン燃焼器における前記燃料及び前記酸化剤の当量比を目標当量比に調節する、
請求項３に記載のガスタービンシステム。
【請求項５】
排気ガス再循環（ＥＧＲ）システムを備え、
前記ＥＧＲシステムは、前記タービンから、前記排気ガス希釈剤を前記タービン燃焼器に供給するように構成された排気ガス圧縮機まで延びる排気リサイクルループに沿って前記排気ガスを循環させるように構成され、前記１又は２以上のプロセッシングデバイスは、前記１又は２以上の命令セットを実行し、前記当量比制御を実施した後に排気リサイクルループ圧力制御を実施するように構成され、該排気リサイクルループ圧力制御は、前記排気リサイクルループ内の前記排気ガスの圧力を制御するように構成されている、
請求項４に記載のガスタービンシステム。
【請求項６】
前記１又は２以上のプロセッシングデバイスは、前記１又は２以上の命令セットを実行し、前記排気リサイクルループ圧力制御を実施した後に、タービン温度制御を実施するように構成され、該タービン温度制御は、前記排気リサイクルループ内の前記排気ガスの温度、タービンの入口温度、タービン燃焼器又はタービンの他の温度、またはそれらの組み合わせを含むタービン温度を制御するように構成されている、
請求項５に記載のガスタービンシステム。
【請求項７】
前記タービンと前記排気ガス圧縮機の間の前記排気リサイクル経路に沿って配置されたリサイクルブロアを備え、
前記タービン温度制御は、前記リサイクルブロアのベーン角度、前記排気ガス圧縮機の排気ガス圧縮機入口ガイドベーンの位置、又はこれらの組み合わせを調節し、前記排気リサイクルループ内の前記排気ガスの検出された圧力に応答し、また前記ガスタービンシステムの１または２以上の作動制限に関するフィードバックに応答し、またはこれらの両者に応答して前記タービン温度を調節する、
請求項６に記載のガスタービンシステム。
【請求項８】
ガスタービンシステムのための目標負荷を示す負荷基準を受け取り、
主酸化剤圧縮システムから前記ガスタービンシステムのタービン燃焼器までの酸化剤供給経路に沿った圧縮酸化剤の流れに対応し、前記目標負荷に関連付した酸化剤流量を決定し、
前記主酸化剤圧縮システムに、前記圧縮酸化剤の前記流れを前記目標負荷に関連した前記酸化剤流量に調節させる、該主酸化剤圧縮システムに入力するための１又は２以上の酸化剤流制御信号を生成し、
前記目標負荷に関連付けられた前記酸化剤流量に基づいて、前記タービン燃焼器への燃料供給経路に沿った燃料の流れに対応する燃料流量を決定し、かつ
燃料流制御システムをして前記燃料の前記流れを調節させて前記タービン燃焼器内の排気ガス希釈剤の存在下で該燃料と前記酸化剤の間の目標当量比での燃焼を可能にするように構成された該燃料流制御システムに入力するための１又は２以上の燃料流制御信号を生成する、
ように１又は２以上のプロセッシングデバイスによって実行可能な１又は２以上の命令セットを全体として格納する１又は２以上の有形の非一時的機械可読媒体と、を備えている、
ことを特徴とするシステム。
【請求項９】
前記１又は２以上の酸化剤流制御信号は、前記主酸化剤圧縮システムの主酸化剤圧縮機の１又は２以上の主酸化剤圧縮機入口ガイドベーンを位置調節させるように構成されている、
請求項８に記載のシステム。
【請求項１０】
前記１又は２以上の燃料流制御信号は、前記燃料流制御システムの１又は２以上の燃料流制御弁の位置を変化させるように構成されている、
請求項８に記載のシステム。
【請求項１１】
前記１又は２以上の命令セットは、排気ガス再循環ループ圧力制御ルーチンを実施するように１つ又は２つ以上のプロセッシングデバイスによって実行可能であり、
前記排気ガス再循環ループ圧力制御ルーチンは、排気再循環経路を通って流れる排気ガスの圧力を、該排気ガスに関する目標圧力、または前記排気ガスの検出された圧力、または前記排気再循環経路を通って流れる該排気ガスの流量に関連するフィードバック、またはこれらの組み合わせに応答して制御するように構成され、
前記排気再循環経路は、前記ガスタービンシステムのタービンから前記排気ガス希釈剤を生成するように構成されたリサイクル圧縮機まで延びる、
請求項８に記載のシステム。
【請求項１２】
前記排気ガス再循環ループ圧力制御ルーチンは、排気パージ流としての前記リサイクル圧縮機から該排気パージ流を生成物ガス内に圧縮するように構成された生成物圧縮機までの前記排気ガス希釈剤の流れを制御する段階を含む、
請求項１１に記載のシステム。
【請求項１３】
前記排気ガス再循環ループ圧力制御ルーチンは、
排気パージ流経路から分かれるパージベント経路に沿って位置決めされたパージベント流制御装置、前記排気パージ流経路に沿って位置決めされた流れ制御装置またはこれらの両者を調整することによって、前記リサイクル圧縮機から前記生成物圧縮機まで延びる排気パージ流経路に沿った排気パージ流の流れを制御する段階を、含む、
請求項１２に記載のシステム。
【請求項１４】
前記１又は２以上の命令セットは、タービン温度制御ルーチンを実施するように１つ又は２つ以上のプロセッシングデバイスによって実行可能であり、
前記タービン温度制御ルーチンは、前記排気再循環経路を通って流れる排気ガスの温度、または前記タービンのタービン入口温度、または前記タービン燃焼器あるいはタービン内の他の温度、またはそれらの組み合わせであるタービン温度を制御するように構成されている、
請求項１１に記載のシステム。
【請求項１５】
前記タービン温度制御ルーチンは、前記リサイクル圧縮機のリサイクル圧縮機入口ガイドベーンの位置を調節することによりタービン温度を制御する、
請求項１４に記載のシステム。
【請求項１６】
１又は２以上のプロセッシングデバイスによって実行可能な１又は２以上の命令セットを全体として格納する１又は２以上の有形の非一時的機械可読媒体を使用してガスタービンシステムを制御する方法であって、
ガスタービンシステムの目標負荷を示す負荷基準を受け、
圧縮酸化剤を酸化剤供給経路に沿って主酸化剤圧縮システムからガスタービンシステムのタービン燃焼器に前記目標負荷に関連した酸化剤流量で流し、
燃料を燃料供給経路に沿って燃料流量でタービン燃焼器に流し、
前記燃料流量が、前記目標負荷に関連する酸化剤流量、または前記タービン燃焼器の下流で得られる当量比フィードバック、またはその両者に基づいて決定され、
前記燃料流量が、前記タービン燃焼器内における排気ガスの存在下で、前記燃料と酸化剤の間の目標等量比での燃焼を可能にする、
ことを特徴とする方法。
【請求項１７】
前記酸化剤流量で圧縮酸化剤を流す段階が、前記主酸化剤圧縮システムの主酸化剤圧縮機の１又は２以上の酸化剤圧縮機入口ガイドベーンのそれぞれの位置を調節することにより、酸化剤流量を調整する段階を含む、
請求項１６に記載の方法。
【請求項１８】
前記酸化剤流量および燃料流量が達成された後にタービン温度を制御する段階を含み、
前記タービン温度を制御する段階が、タービン燃料機からの燃焼生成物を受けてタービンから排気ガス希釈剤を生成するように排気ガスを圧縮する排気ガス圧縮機まで延びる排気ガス循環経路に沿って流れる排気ガスの温度を制御する段階、またはタービンのタービン入口温度を制御する段階、またはタービンまたはタービン燃料機内のタービンの温度を制御する段階、またはそれらの組み合わせを含む、
請求項１６に記載の方法。
【請求項１９】
前記タービン温度を制御する方法が、前記排気ガス循環経路に沿って流れる排気ガスの温度を制御する段階を含む、
請求項１８に記載の方法。
【請求項２０】
前記タービン温度を制御する方法が、前記タービンのタービン入口温度を制御する段階を含む、
請求項１８に記載の方法。
【請求項２１】
前記酸化剤流量および燃料流量が達成された後、前記タービン温度を制御するのと略同時に、前記排気ガス循環経路に沿って流れる排気ガスの圧力を制御する段階を含む、
請求項１８に記載の方法。
【請求項２２】
前記酸化供給経路から分かれ、前記酸化剤供給経路を酸化剤通気部に流体連通させる酸化剤通気経路と、前記酸化剤通気経路に沿って配置され前記酸化剤通気経路に沿った酸化剤流を調整するように構成された酸化剤通気調整弁と、を備え、
１または２以上の処理装置が、１又は２以上の命令セットを実行し、前記酸化剤流量を調整するように前記酸化剤換気弁を調整するように構成されている、
請求項２に記載のシステム。
【請求項２３】
１または２以上の酸化剤流量制御信号が、前記酸化剤供給経路から分かれ酸化剤通気部までの酸化剤通気経路に沿って配置された酸化剤換気調整弁を位置調整する、
請求項８に記載のシステム。
【請求項２４】
前記ガスタービンシステムのシャフトによる回転に応答して電力を生成する発電機をさらに備えている、
請求項１に記載のシステム。